(57)【特許請求の範囲】
【請求項１】
スラブが位置する上下のＰＣａ壁版の接合部に於いて、上方部に位置するＰＣａ壁版の下端部より下方へ突出形成した直線状突出定着筋と、その先端側を該ＰＣａ壁版の厚手方向に９０度折り曲げ形成した折り曲げ定着筋とより下方突出定着筋を形成し、他方、下方部に位置するＰＣａ壁版の上端部より上方へ突出形成した直線状突出定着筋と、その先端側を該ＰＣａ壁版の厚手方向に９０度折り曲げ形成した折り曲げ定着筋とより上方突出定着筋を形成し、該上下のＰＣａ壁版をほぼスラブ厚に相当する高さが得られる間隔を有する空間を設け、且つ該空間において該上下方突出定着筋を相互にＰＣａ壁版の壁面方向で千鳥状にずれるように配設し、更に該折り曲げ定着筋の折り曲げ部の内角部又は／及び該上下方直線状突出定着筋と該折り曲げ定着筋の先端部側とで形成される内角部にＰＣａ壁版の壁面方向へ延長する梁主筋を配筋して該定着筋に固定し、上記定着筋及び梁主筋で形成された空間をスラブの一部を形成する補強空間とし、該空間及びそれに連続するスラブ形成部にコンクリートを打設することにより上下ＰＣａ壁版及びスラブとを一体化して成ることを特徴とするＰＣａ壁版接合部の構造。
【請求項２】
上下方突出定着筋をＰＣａ壁版の各々の上下端部より、該ＰＣａ壁版の上下方向に沿って所定長突出した直線状突出定着筋と、その先端側をＰＣａ壁版厚方向に９０度折り曲げ形成した折り曲げ定着筋を形成し、更にその先端側をＰＣａ壁版に向かって折り返して折り返し定着筋を形成して成ることを特徴とする請求項１に記載のＰＣａ壁版接合部の構造。
【請求項３】
上下方突出定着筋をＰＣａ壁版の各々の上下端部より、該ＰＣａ壁版の上下方向に沿って所定長突出した直線状突出定着筋と、その先端側をＰＣａ壁版厚方向に９０度折り曲げ形成した折り曲げ定着筋を形成し、更にその先端側をＰＣａ壁版に向かって折り返して折り返し定着筋を形成し、該折り返し定着筋の先端部をＰＣａ壁版に埋め込み形成して成ることを特徴とする請求項１に記載のＰＣａ壁版接合部の構造。
【請求項４】
下方ＰＣａ壁版側にスラブ型枠を組み、スラブ及び上下のＰＣａ壁版間の空間にコンクリートを打設してスラブと上下ＰＣａ壁版とを一体化して成ることを特徴とする請求項１乃至３のいずれか１に記載のＰＣａ壁版接合部の構造。
【請求項５】
下方ＰＣａ壁版側に型枠を兼ねたハーフＰＣａスラブ版を設け、該ハーフＰＣａスラブ版及び上下のＰＣａ壁版間の空間にコンクリートを打設して該ハーフＰＣａスラブ版と上下ＰＣａ壁版とを一体化して成ることを特徴とする請求項１乃至３のいずれか１に記載のＰＣａ壁版接合部の構造。
【請求項６】
上方部に位置するＰＣａ壁版の下端部がスラブ中に少し埋め込まれるようにスラブ厚を設定してコンクリートを打設し、スラブと上下ＰＣａ壁版とを一体化して成ることを特徴とする請求項４又は５記載のＰＣａ壁版接合部の構造。
【発明の詳細な説明】
【０００１】
【発明の属する技術分野】
本発明は、上下のＰＣａ壁版の接合部と成る下端部及び上端部より各々鍵型定着筋を突出させ、現場打ちコンクリートによりスラブを形成すると同時に、該鍵型定着筋を当該スラブ厚内で定着することを目的とするＰＣａ壁版の接合部の構造に関するものである。
【０００２】
【従来の技術】
従来より、ＰＣａ壁版相互を連結して耐震壁等を構築するには、当該ＰＣａ壁版の連結部が位置する床スラブを打設した後、下部のＰＣａ壁版上に上部のＰＣａ壁版を建て込み、該上部ＰＣａ壁版の下部に取り付けたスリーブジョイントを利用して下部のＰＣａ壁版と一体化することが一般的な工法であった。
これは、図７に示すスリーブ接合のように、下階のＰＣａ壁版Ａから突出している差し筋Ｂを、上階のＰＣａ壁版Ｃの下部に埋め込まれたスリーブジョイントＤへ挿入し、モルタル等の固定手段により差し筋Ｂを埋設固定し、上下のＰＣａ壁版Ｃ、Ａ間にジョイントコンクリートを打設して上下のＰＣａ壁版Ｃ、Ａを接合している。
【０００３】
また、図８に示す溶接接合のように、下階のＰＣａ壁版Ｅから突出している差し筋Ｆを、上階のＰＣａ壁版Ｇに埋め込まれた接合鉄筋や接合プレート或いは添え鋼板Ｊ等を使用して溶接し、更にその上下ＰＣａ壁版Ｇ、Ｅの間隙にコンクリート等を充填することにより上下のＰＣａ壁版Ｇ、Ｅを接合している。
【０００４】
【発明が解決しようとする課題】
しかし、上記従来のスリーブ接合は、スリーブジョイントを予めＰＣａ壁版に取り付けておく必要があると同時に、上下ＰＣａ壁版の連結にはジョイントコンクリートの打設前にモルタル等の充填作業が必要となりジョイント形成にコストと手間がかかっていた。
また、上記従来の溶接接合は、溶接作業が必要となり位置合わせや溶接等に熟練工を必要とし、上記同様にジョイント形成にコストと手間がかかっていた。
その他、上記従来例以外にも様々な上下ＰＣａ壁版の連結手段が提案され実行されているが、いずれもＰＣａ壁版相互を一体化するのみのものであり、スラブの完成と同時に壁を完成させる構造のものはなかった。
【０００５】
本発明は、上記従来技術の問題点に鑑みて成されたもので、スリーブジョイントの形成や充填作業及び溶接作業等の工程を省略し、スラブの完成と同時に上下のＰＣａ壁版の連結を得ることが出来るものである。また、精度の高い施工を可能とし、上下のＰＣａ壁版とスラブとをコンクリートにより強力に一体とすることが可能と成り、耐震性に優れた構築物を完成させることを可能とするものである。
【０００６】
【課題を解決するための手段】
本発明は、上記課題を解決したもので、上下のＰＣａ壁版及び該上下のＰＣａ壁版より突出した鍵型定着筋等を使用し、十分な厚さの現場打ちスラブ厚の完成と同時に、上下のＰＣａ壁版の鍵型定着筋を定着し、耐震壁を構築することにある。
【０００７】
その具体的な構成として、スラブが位置する上下のＰＣａ壁版の接合部に於いて、上方部に位置するＰＣａ壁版の下端部より下方へ突出形成した直線状突出定着筋と、その先端側を該ＰＣａ壁版の厚手方向に９０度折り曲げ形成した折り曲げ定着筋とより下方突出定着筋を形成し、他方、下方部に位置するＰＣａ壁版の上端部より上方へ突出形成した直線状突出定着筋と、その先端側を該ＰＣａ壁版の厚手方向に９０度折り曲げ形成した折り曲げ定着筋とより上方突出定着筋を形成し、該上下のＰＣａ壁版をほぼスラブ厚に相当する高さが得られる間隔を有する空間を設け、且つ該空間において該上下方突出定着筋を相互にＰＣａ壁版の壁面方向で千鳥状にずれるように配設し、更に該折り曲げ定着筋の折り曲げ部の内角部又は／及び該上下方直線状突出定着筋と該折り曲げ定着筋の先端部側とで形成される内角部にＰＣａ壁版の壁面方向へ延長する梁主筋を配筋して該定着筋に固定し、上記定着筋及び梁主筋で形成された空間をスラブの一部を形成する補強空間とし、該空間及びそれに連続するスラブ形成部にコンクリートを打設することにより上下ＰＣａ壁版及びスラブとを一体化して成るＰＣａ壁版接合部の構造を特徴とする。
【０００８】
また、上記上下方突出定着筋をＰＣａ壁版の各々の上下端部より、該ＰＣａ壁版の上下方向に沿って所定長突出した直線状突出定着筋と、その先端側をＰＣａ壁版厚方向に９０度折り曲げ形成した折り曲げ定着筋を形成し、更にその先端側をＰＣａ壁版に向かって折り返して折り返し定着筋を形成して成るＰＣａ壁版接合部の構造を特徴とする。
【０００９】
更に、上記上下方突出定着筋をＰＣａ壁版の各々の上下端部より、該ＰＣａ壁版の上下方向に沿って所定長突出した直線状突出定着筋と、その先端側をＰＣａ壁版厚方向に９０度折り曲げ形成した折り曲げ定着筋を形成し、更にその先端側をＰＣａ壁版に向かって折り返して折り返し定着筋を形成し、該折り返し定着筋の先端部をＰＣａ壁版に埋め込み形成して成るＰＣａ壁版接合部の構造を特徴とする。
【００１０】
また、上記下方ＰＣａ壁版側にスラブ型枠を組み、スラブ及び上下のＰＣａ壁版間の空間にコンクリートを打設してスラブと上下ＰＣａ壁版とを一体化して成るＰＣａ壁版接合部の構造を特徴とする。
【００１１】
更に、上記下方ＰＣａ壁版側に型枠を兼ねたハーフＰＣａスラブ版を設け、該ハーフＰＣａスラブ版及び上下のＰＣａ壁版間の空間にコンクリートを打設して該ハーフＰＣａスラブ版と上下ＰＣａ壁版とを一体化して成るＰＣａ壁版接合部の構造を特徴とする。また、そのスラブ形成には、上方部に位置するＰＣａ壁版の下端部がスラブ中に少し埋め込まれるようにスラブ厚を設定してコンクリートを打設し、スラブと上下ＰＣａ壁版とを一体化して成るＰＣａ壁版接合部の構造を特徴とする。
【００１２】
【発明の実施の形態】
以下に、本発明の実施の形態を図面に基づいて説明する。
【実施例１】
図１〜３は、本発明の接合部と成る上部に位置するＰＣａ壁版の下方部の構造を示している。
壁版としてＰＣａ壁版が使用され、該ＰＣａ壁版の下端部より鍵型の定着筋を突出形成している。上記鍵型の定着筋は、その定着長さを「鉄筋コンクリート構造計算規準・同解説」（日本建築学会編  １９９９年改定）の第１７条の定着の項で規定された必要定着長さと、必要余長とを確保するように構成している。
【００１３】
上記規準には、鉄筋が突出する仕口面（接合面）での鉄筋端の有効的な定着長さの確保は、極めて重要な事項であり、定着破壊が生じると落階等の甚大な被害を生じることに成るとし、鉄筋の定着長さ（Ｌａ）を、必要定着長さ（Ｌａｂ）以上とするように規定している。該必要定着長さは（Ｌａｂ）は次式で得られる長さである。
【００１４】
また、上記規準では、鉄筋折り曲げ部以降と成る余長部分は、折り曲げ部分で伝達される引張力に見合った長さを有することが重要であり、９０度折り曲げた場合のその長さは鉄筋径の１０〜１２倍あれば定着性能としては十分であるとしている。それを踏まえ、鉄筋の必要余長（Ｌｅ）は１０倍以上としている。
【００１５】
図１は、上側に位置するＰＣａ壁版１の下端部２より定着筋３を下方へ突出形成したもので、該定着筋３は、ＰＣａ壁版１の上下方向に沿って該下端部２より所定長突出した直線状突出部４と、その先端側をＰＣａ壁版厚方向に９０度折り曲げ形成した折り曲げ部５とより形成している。
【００１６】
ＰＣａ壁版１の下端部２より下方へ突出する直線状突出部４の長さ（Ｌａに相当）、及び折り曲げ部５の長さ（Ｌに相当）は、下式を満足するものとする。
【式１】
0004672847.tif 000002
【式２】
0004672847.tif 000003
【式３】
0004672847.tif 000004
上記式にあって、各記号は以下の通りである。
Ｌａｂ；必要投影定着長さ
Ｓ  ；  側面かぶり厚さによる必要投影定着長さの修正係数
横補強筋で拘束されたコア内に定着する場合は更に０．８を乗じてよい。
σｔ；  仕口面に於ける鉄筋存在応力度
ｄｂ；  異形鉄筋の呼び名に用いた数値
ｆｂ；  鉄筋の許容付着応力度
Ｆｃ；  コンクリートの設計基準強度
Ｂｓ；  定着筋１本あたりの仕口部の幅で鉄筋径の５倍を超える場合は５ｄｂとする。
【００１７】
図２は、ＰＣａ壁版６の下端部７より定着筋８を下方へ突出形成した他の実施例を示すもので、該定着筋８は、ＰＣａ壁版６の上下方向に沿って該下端部７より所定長突出した直線状突出部９と、その先端側をＰＣａ壁版厚方向に９０度折り曲げ形成した折り曲げ部１０を形成し、更にその先端側をＰＣａ壁版６に向かって折り返して折り返し部１１を形成している。ＰＣａ壁版下端部７より下方へ突出する直線状突出部９の長さ（Ｌａ）は、上記式の必要投影定着長さ（Ｌａｂ）を満足するものとし、折り曲げ部１０、及び折り返し部１１の長さ（Ｌ）は必要余長（Ｌｅ）を満足するものとする。
【００１８】
図３は、ＰＣａ壁版１２の下端部１３より定着筋１４を下方に突出形成した他の実施例を示すもので、該定着筋１４は、ＰＣａ壁版１２の上下方向に沿って該下端部１３より所定長突出した直線状突出部１５と、その先端側をＰＣａ壁版厚方向に９０度折り曲げ形成した折り曲げ部１６を形成し、更にその先端側をＰＣａ壁版１２に向かって折り返して折り返し部１７を形成している。当該折り返し部１７の先端部１８はＰＣａ壁版１２に少し埋め込まれた状態とする。必要に応じて、図３の点線で示すように、先端部をＰＣａ壁版１２の内側に進入させた状態の延出部１９として埋め込み固定してもよい。
上記ＰＣａ壁版１２の下端部１３より下方へ突出する直線状突出部１５の長さ（Ｌａ）は、上記式を満足するものとし、折り曲げ部１６、及び折り返し部１７の長さ（Ｌ）は、必要余長を満足するものとする。
【００１９】
上記図１〜３に示すＰＣａ壁版１、６、１２は、上方部に配設されるＰＣａ壁版１、６、１２を示しているが、下方部に配設されるＰＣａ壁版は、上記図１〜３のものと同様の形状に形成され、鍵型定着筋を上方へ突出形成している。
図４に示すように、下部のＰＣａ壁版２０は、その上端部２１より定着筋２２をＰＣａ壁版２０の上下方向に沿って上方へ突出形成している。該上端部２１より所定長突出した直線状突出部２３と、その先端側をＰＣａ壁版厚方向に９０度折り曲げ形成した折り曲げ部２４を形成し、更にその先端側をＰＣａ壁版２０に向かって折り返して折り返し部２５を形成している。当該折り返し部２５の先端部２６はＰＣａ壁版２０に少し埋め込まれた状態とされる。
上記図４は、図３に対応した鍵型定着筋の構成を示しているが、前記図１、２と同様の形状を有する鍵型定着筋のものも使用される。
【００２０】
図４は、上部に位置するＰＣａ壁版１２と、下側に位置するＰＣａ壁版２０とを対向させた断面図を示している。上記下側ＰＣａ壁版と上側ＰＣａ壁版とを所定間隔を有して近接させることになるが、各々の直線状突出部１５、２３、その先端側をＰＣａ壁版厚方向に９０度折り曲げ形成した折り曲げ部１６、２４、更にその先端側をＰＣａ壁版１２、２０に向かって折り返した折り返し部１７、２５等の鍵型定着筋は、図５に示すように上下に重ねた状態で横方向に於いて相互に隣接位置で当接するように配設される。また、場合によっては相互にずらして等間隔或いは適宜間隔を有して配設されることも可能である。
図５に示すのは図３の鍵型定着筋のものを示しているが、図１や図２に示す鍵型定着筋を使用して上下に重ねてもよいことは言うまでもない。
【００２１】
上記上下のＰＣａ壁版として、図１や図２に示すＰＣａ壁版を採用した場合は、該ＰＣａ壁版の上端部或いは下端部に並設する鍵型定着筋の直線状突出部の突出位置を交互にずらすことにより、その開放部が左右千鳥状に交互に配置され、定着耐力のバランスを図ることができる。壁とスラブとの接合部内に上下ＰＣａ壁版の鍵型定着筋が配設され、梁型の拘束された空間２６が形成されることに成る。梁主筋２７等の横筋を該鍵型定着筋のフック角部等に配筋固定することにより、上下ＰＣａ壁版の鍵型定着筋部の定着耐力を向上させることができる。
【００２２】
図６に示すように、上部ＰＣａ壁版１２と下部ＰＣａ壁版２０とを、スラブ形成部位に於いてスラブ厚（図６のＨの状態）、或いは図６の点線で示すように上部のＰＣａ壁版がスラブに少し埋め込まれるような状態（図６のＨ'の状態）となるように近接させて配置し、上下のＰＣａ壁版１２、２０の鍵型定着筋相互を梁主筋２７等により連結して一体化する。上記鍵型定着筋相互の連結により、上部ＰＣａ壁版１２と下部ＰＣａ壁版２０との上下端部相互間に所定の高さＨとＰＣａ壁版厚の幅Ｗを有する空間２６が形成されることになる。
上記空間２６は、スラブ形成位置と一致し、且つ上記所定の高さＨは、その後完成するスラブのスラブ厚Ｔと一致するように形成されることに成る。従って、スラブ形成時のコンクリート打設と同時に上記空間２６もコンクリートが流れ込み、接合部全体がコンクリートによって充填され一体化することに成る。
【００２３】
スラブへのコンクリート打設に先だって、ＰＣａ壁版の建て方を行い、スラブ型枠又はハーフＰＣａスラブ版２８等により型枠を構築し、上下ＰＣａ壁版の鍵型定着筋の固定等を行い、スラブ部分にコンクリートを打設することによりスラブと上下のＰＣａ壁版とが一体化され耐震構造体が完成することに成る。
上記スラブの形成として、スラブ型枠を組んで、現場に於いてコンクリートを打設する方法、ハーフＰＣａスラブ版２８を下部のＰＣａ壁版２０に掛け渡してそれを下型枠とし、その上方部にコンクリートを打設する方法等が考えられる。
いずれにしても、スラブが完成すると同時に、ＰＣａ壁版相互の接合部も完成することに成る。
【００２４】
【発明の効果】
本発明は、ＰＣａ壁版の接合部を現場打ちのコンクリートの打設のみでスラブ完成と同時に上下のＰＣａ壁版及びスラブとを一体化することができるので、上下のＰＣａ壁版の一体化のためのモルタルやジョイントコンクリート等の充填作業が必要なく、それらの工程を省くことが可能となった。
また、コンクリートの打設により上下のＰＣａ壁版とスラブとの一体化が確実に行われ、耐震壁として強度のある壁体を得ることが可能と成った。
更に、充填作業や溶接作業等の工程を省くことにより工期を短縮でき、且つ熟練工を必要としないので、壁の接合部の構築にあたって大幅にコストを低減することが可能と成った。
【図面の簡単な説明】
【図１】本発明の接合部を構成するＰＣａ壁版の断面図。
【図２】本発明の接合部を構成するＰＣａ壁版の他の実施例の断面図。
【図３】本発明の接合部を構成するＰＣａ壁版の他の実施例の断面図。
【図４】本発明の接合部を構成する上下のＰＣａ壁版を示す断面図。
【図５】本発明の上下のＰＣａ壁版の接合部を示す斜視図。
【図６】本発明の上下のＰＣａ壁版及びスラブとの接合部を示す断面図。
【図７】従来例の上下のＰＣａ壁版の接合部を示す断面図。
【図８】従来例の上下のＰＣａ壁版の接合部を示す斜視図。
【符号の説明】
１、６、１２・・ＰＣａ壁版
２、７、１３・・下端部
３、８、１４・・定着筋
４、９、１５・・直線状突出部
５、１０、１６・・折り曲げ部
１１、１７・・折り返し部
２０・・ＰＣａ壁版
２１・・上端部
２２・・定着筋
２３・・直線状突出部
２４・・折り曲げ部
２５・・折り返し部
２６・・空間
２７・・梁主筋
２８・・ハーフＰＣａスラブ版
【図１】
0004672847.tif 000005
【図２】
0004672847.tif 000006
【図３】
0004672847.tif 000007
【図４】
0004672847.tif 000008
【図５】
0004672847.tif 000009
【図６】
0004672847.tif 000010
【図７】
0004672847.tif 000011
【図８】
0004672847.tif 000012